(57)【特許請求の範囲】
【請求項１】
人の肌にプラズマを照射するように構成されている美容機器であって、
垂直方向と、前記垂直方向に直交する遠心方向とを有し、
前記垂直方向において前記プラズマを照射する側である照射側と、前記垂直方向において前記照射側の反対側である非照射側とを有し、
モータと、
前記モータの前記照射側に設けられており、前記遠心方向に風を送る遠心ファンと、
前記遠心ファンの前記遠心方向の外側及び前記非照射側を覆う第１カバーと、
前記遠心ファンの前記照射側を覆う第２カバーと、
前記第２カバーの前記照射側に設けられているメインハウジングと、を内部に備えており、
前記第２カバーにおいて、中央部に中央貫通孔が形成されており、前記中央貫通孔より前記遠心方向の外側に２つの外側貫通孔が形成されており、
前記メインハウジングにおいて、中央部より前記遠心方向の外側に２つの貫通孔が形成されており、
前記メインハウジングに、前記プラズマを発生するように構成されているプラズマ発生層が収容されており、
前記プラズマ発生層は、正電極と負電極との間に誘電体を挟み込むことによって構成されており、
前記負電極は、パンチングメタルによって構成されており、
前記外側貫通孔のそれぞれは、前記貫通孔のそれぞれに対して、前記垂直方向において対向せず、
前記メインハウジングと前記第２カバーとの間に、オゾン臭を分解することができるように構成されているフィルタが設けられており、
前記フィルタを収容するトレイの中央部に、フィルタ貫通孔が設けられていることを特徴とする美容機器。
【請求項２】
人の肌にプラズマを照射するように構成されている美容機器であって、
垂直方向と、前記垂直方向に直交する遠心方向とを有し、
前記垂直方向において前記プラズマを照射する側である照射側と、前記垂直方向において前記照射側の反対側である非照射側とを有し、
モータと、
前記モータの前記照射側に設けられており、前記遠心方向に風を送る遠心ファンと、
前記遠心ファンの前記遠心方向の外側及び前記非照射側を覆う第１カバーと、
前記遠心ファンの前記照射側を覆う第２カバーと、
前記第２カバーの前記照射側に設けられているメインハウジングと、を内部に備えており、
前記第２カバーにおいて、中央部に中央貫通孔が形成されており、前記中央貫通孔より前記遠心方向の外側に２つの外側貫通孔が形成されており、
前記メインハウジングにおいて、中央部より前記遠心方向の外側に２つの貫通孔が形成されており、
前記メインハウジングに、前記プラズマを発生するように構成されているプラズマ発生層が収容されており、
前記プラズマ発生層は、正電極と負電極との間に誘電体を挟み込むことによって構成されており、
前記負電極は、パンチングメタルによって構成されており、
前記外側貫通孔のそれぞれは、前記貫通孔のそれぞれに対して、前記垂直方向において対向せず、
前記負電極自体に触媒の処理が施されていることを特徴とする美容機器。
【請求項３】
前記負電極と前記誘電体との間に、スペーサが設けられていることを特徴とする請求項１又は２に記載の美容機器。
【発明の詳細な説明】
【技術分野】
【０００１】
本発明は、美容機器に関する。
【背景技術】
【０００２】
従来、人の肌にプラズマを照射するように構成されている美容機器が知られている（例えば、特許文献１参照）。
【先行技術文献】
【特許文献】
【０００３】
【特許文献１】特許第６１８００１６号
【発明の概要】
【発明が解決しようとする課題】
【０００４】
しかしながら、従来の美容機器では、人の肌に照射されるプラズマを含むガス中にオゾンが含まれているため、かかるガスをそのまま放置しておくことによりオゾン臭が発生してしまうという問題点があった。
【０００５】
そこで、本発明は、上記課題に鑑みてなされたものであり、オゾン臭を低減することができる美容機器を提供することを目的とする。
【課題を解決するための手段】
【０００６】
一実施形態に係る美容機器は、人の肌にプラズマを照射するように構成されている美容機器であって、垂直方向と、前記垂直方向に直交する遠心方向とを有し、前記垂直方向において前記プラズマを照射する側である照射側と、前記垂直方向において前記照射側の反対側である非照射側とを有し、モータと、前記モータの前記照射側に設けられており、前記遠心方向に風を送る遠心ファンと、前記遠心ファンの前記遠心方向の外側及び前記非照射側を覆う第１カバーと、前記遠心ファンの前記照射側を覆う第２カバーと、前記第２カバーの前記照射側に設けられているメインハウジングと、を内部に備えており、前記第２カバーにおいて、中央部に中央貫通孔が形成されており、前記中央貫通孔より前記遠心方向の外側に２つの外側貫通孔が形成されており、前記メインハウジングにおいて、中央部より前記遠心方向の外側に２つの貫通孔が形成されており、前記メインハウジングに、前記プラズマを発生するように構成されているプラズマ発生層が収容されており、前記プラズマ発生層は、正電極と負電極との間に誘電体を挟み込むことによって構成されており、前記負電極は、パンチングメタルによって構成されており、前記外側貫通孔のそれぞれは、前記貫通孔のそれぞれに対して、前記垂直方向において対向しないことを要旨とする。
【発明の効果】
【０００７】
本発明によれば、オゾン臭を低減することができる美容機器を提供することができる。
【図面の簡単な説明】
【０００８】
【図１】図１は、一実施形態に係る美容機器１の外観の一例を示す図である。
【図２】図２は、一実施形態に係る美容機器１の内部構成の一例を示す図である。
【図３】図３は、一実施形態に係る美容機器１において、プラズマを含むガスが吹き出される様子を説明するための図である。
【図４】図４は、一実施形態に係る美容機器１において、上述のガスが回収される様子を説明するための図である。
【図５】図５は、一実施形態に係る美容機器１において、上述のガスが回収される様子を説明するための図である。
【発明を実施するための形態】
【０００９】
以下に添付図面を参照しながら、本発明の好適な実施形態について詳細に説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。本明細書及び図面において、実質的に同一の機能、構成を有する要素については、同一の符号を付することにより重複説明を省略し、また本発明に直接関係のない要素は図示を省略する。
【００１０】
（第１実施形態）
以下、図１〜図５を参照して、本発明の第１実施形態に係る美容機器１について説明する。図１は、一実施形態に係る美容機器１の外観の一例を示す図であり、図２は、一実施形態に係る美容機器１の内部構成の一例を示す図であり、図３は、一実施形態に係る美容機器１において、プラズマを含むガスが吹き出される様子を説明するための図であり、図４は、一実施形態に係る美容機器１において、上述のガスが回収される様子を説明するための図であり、図５は、一実施形態に係る美容機器１において、上述のガスが回収される様子を説明するための図である。
【００１１】
本実施形態に係る美容機器１は、人の肌にプラズマを照射するように構成されている。具体的には、本実施形態に係る美容機器１は、人の顔にプラズマを照射するように構成されている美顔器であってもよい。
【００１２】
具体的には、図１に示すように、本実施形態に係る美容機器１は、後述する負電極２５を構成するパンチングメタルの孔から、プラズマを含むガス１００を吹き出すように構成されている。
【００１３】
本実施形態に係る美容機器１は、垂直方向Ｈ（図１等を参照）と、垂直方向Ｈに直交する遠心方向Ｗ（図３等を参照）とを有している。また、図１に示すように、本実施形態に係る美容機器１は、垂直方向Ｈにおいてプラズマを照射する側である照射側Ａと、垂直方向Ｈにおいて照射側Ａの反対側である非照射側Ｂとを有している。
【００１４】
図２に示すように、本実施形態に係る美容機器１は、内部に、モータ１１と、遠心モータ１２と、第１カバー１３と、第２カバー１４と、フィルタ１５と、メインハウジング２０と、第３カバー２６とを備えている。
【００１５】
遠心ファン１２は、図２に示すように、モータ１１の照射側Ａに設けられており、遠心方向Ｗに風を送るように構成されている。ここで、遠心ファン１２は、モータ１１の駆動によって作動する。例えば、遠心ファン１２は、超小型ターボファンであってもよい。
【００１６】
第１カバー１３は、図２に示すように、遠心ファン１２の遠心方向Ｗの外側及び非照射側Ｂを覆うように構成されている。
【００１７】
第２カバー１４は、図２に示すように、遠心ファン１２の照射側Ａを覆うように構成されている。ここで、第２カバー１４は、図２に示すように、遠心ファン１２の非照射側Ｂの一部を覆うように構成されている。
【００１８】
図２に示すように、第２カバー１４において、中央部１４Ｏに中央貫通孔１４Ａが形成
されており、中央貫通孔１４Ａより遠心方向Ｗの外側に２つの外側貫通孔１４Ｂが形成されている。なお、２つの外側貫通孔１４Ｂは、第２カバーの中央部１４Ｏに関して点対称の位置（或いは、第２カバーの中央部１４Ｏを通る直線に関して線対称の位置）に配置されていてもよい。ここで、外側貫通孔１４Ｂの数は、２つに限定されるものではなく、２以外の数であってもよい。
【００１９】
図３に示すように、第１カバー１３内において、外側貫通孔１４Ｂの非照射側Ｂで、遠心ファン１２の遠心方向Ｗの外側で且つ照射側に、遠心ファン１２からの静圧を溜め込むための空間Ｓが設置されていてもよい。かかる構成によれば、外側貫通孔１４Ｂを介して吹き出されるガスの流れを安定させることができる。
【００２０】
また、図３に示すように、第１カバー１３と遠心ファン１２の遠心方向Ｗの最外部との間の空間において、導風板１２Ａが設けられていてもよい。かかる導風板１２Ａは、非照射側Ｂに向かうにつれて、遠心方向Ｗの内側に向かうように傾斜している。かかる導風板によって、遠心方向Ｗの風圧を照射側Ａに導くことで、より高い静圧を与えることができる。
【００２１】
フィルタ１５は、メインハウジング２０と第２カバー１４との間に設けられている。フィルタ１５は、少なくともオゾン臭を分解することができるように構成されている。かかるフィルタ１５は、トレイ１５Ｂに収容されるように構成されていてもよい。
【００２２】
図２に示すように、トレイ１５Ｂの中央部１５Ｏに、フィルタ貫通孔１５Ａが設けられていてもよい。ここで、フィルタ貫通孔１５Ａは、上述の中央貫通孔１４Ａに対して、垂直方向Ｈにおいて対向するように配置されていてもよい。
【００２３】
かかるトレイ１５Ｂは、縦長の形状を有している。ここで、トレイ１５Ｂは、第２カバー１４に設けられている縦長の形状のスロットにスライド式に挿入されて、第２カバー１４に収容されるように構成されていてもよい。かかる構成によれば、フィルタ１５を収容するトレイ１５Ｂの交換が容易になる。
【００２４】
メインハウジング２０は、図２に示すように、第２カバー１４の照射側Ａに設けられている。
【００２５】
図２に示すように、メインハウジング２０において、中央部２０Ｏより遠心方向Ｗの外側に２つの貫通孔２０Ａが形成されている。なお、２つの貫通孔２０Ａは、メインハウジング２０の中央部２０Ｏに関して点対称の位置（或いは、メインハウジング２０の中央部２０Ｏを通る直線に関して線対称の位置）に配置されていてもよい。ここで、貫通孔２０Ａの数は、２つに限定されるものではなく、２以外の数であってもよい。
【００２６】
なお、２つの外側貫通孔１４Ｂのそれぞれは、２つの貫通孔２０Ａのそれぞれに対して、垂直方向Ｈにおいて対向しないように配置されている。
【００２７】
また、図２に示すように、メインハウジング２０に、プラズマを発生するように構成されているプラズマ発生層３０が収容されている。
【００２８】
ここで、プラズマ発生層３０は、正電極２２と負電極２５との間に誘電体２３を挟み込むことによって構成されている。
【００２９】
例えば、正電極２２は、銅板によって構成されており、負電極２５は、パンチングメタルによって構成されていてもよい。また、誘電体２３は、ガラス板によって構成されてい
てもよい。
【００３０】
また、図２に示すように、負電極２５と誘電体２３との間に、スペーサ２４が設けられていてもよい。
【００３１】
さらに、図２に示すように、正電極２２とメインハウジング２０との間に、浸水防止のためのシーリング部材が設けられていてもよい。
【００３２】
第３カバー２６は、プラズマ発生層３０の照射側Ａに設けられており、メインハウジング２０に嵌めこまれるように構成されていてもよい。
【００３３】
以下、図３を参照して、本実施形態に係る美容機器１において、プラズマを含むガス１００が吹き出される様子について説明し、図４及び図５を参照して、本実施形態に係る美容機器１において、上述のガス１００が回収される様子について説明する。
【００３４】
図３に示すように、第１に、遠心ファン１２によって遠心方向Ｗの外側に向けて送られたガスの流れは、導風板１２Ａによって照射側Ａに導かれる。
【００３５】
第２に、かかるガスの流れは、上述の空間Ｓに溜め込まれた後、外側貫通孔１４Ｂを介して照射側Ａに向かう。
【００３６】
第３に、照射側Ａに向かっていたガスの流れは、第３カバー２６に衝突後、遠心方向Ｗの内側に向かい、プラズマ発生層３０を通過する。具体的には、図２に示すように、かかるガスの流れは、スペーサ２５によって負電極２５と誘電体２３との間に形成されている空間に向かう。
【００３７】
第４に、プラズマ発生層３０において発生されたプラズマを含むガス１００は、負電極２５を構成するパンチングメタルの孔から、美容機器１の外部に吹き出される。
【００３８】
ここで、負電極２５自体に触媒の処理を施せば、プラズマを含むガス１００のオゾンを分解し、かかるガス１００が吹き出される時点でオゾン臭を低減することもできる。
【００３９】
図４及び図５に示すように、第１に、人の肌に照射され、プラズマが消失した後のガスは、メインハウジング２０の貫通孔２０Ａを介して、美容機器１の内部に入り込む。
【００４０】
第２に、かかるガスは、トレイ１５Ｂに収容されているフィルタ１５に向かう。ここで、フィルタ１５は、かかるガスに含まれているオゾンを分解する。
【００４１】
第３に、オゾンが分解されて除去されたガスは、フィルタ貫通孔１５Ａ及び第２カバー１４の中央貫通孔１４Ａを介して、第１カバー１３内に向かう。
【００４２】
第４に、かかる第１カバー１３内のガスは、遠心ファン１２によって遠心方向Ｗの外側に送られることによって再利用される。
【００４３】
本実施形態に係る美容機器１によれば、人の肌に照射されてプラズマが消去したガスについて、上述のように回収して再利用することで、美容機器１の外部におけるオゾン臭を低減することができる。
【００４４】
また、本実施形態に係る美容機器１によれば、オゾンを分解して除去したガスを再利用することで、効率的に、人の肌にプラズマを照射することができる。
【００４５】
さらに、本実施形態に係る美容機器１によれば、プラズマ発生層３０の遠心方向Ｗの外側から内側に向けてガスを流すため、ガス内に含まれるプラズマの濃度を濃くすることができる。
【００４６】
本発明は、既存の美容技術、例えば、ＬＥＤ光に関する技術や、イオンの導入/導出に
関する技術や、ＲＦ高周波に関する技術や、超音波に関する技術等と組み合わせた多機能な美容機器にも適用可能である。
【００４７】
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００４８】
１…美容機器
１１…モータ
１２…遠心ファン
１２Ａ…導風板
１３…第１カバー
１４…第２カバー
１４Ａ…中央貫通孔
１４Ｂ…外側貫通孔
１５…フィルタ
１５Ａ…フィルタ貫通孔
１５Ｂ…トレイ
２０…メインハウジング
２０Ａ…貫通孔
２１…シーリング部材
２２…正電極
２３…誘電体
２４…スペーサ
２５…負電極
２６…第３カバー
３０…プラズマ発生層
１００…ガス
Ｈ…垂直方向
Ａ…照射側
Ｂ…非照射側
Ｗ…遠心方向
【要約】
【課題】オゾン臭を低減すること。
【解決手段】一実施形態に係る美容機器１は、モータ１１の照射側Ａに設けられており遠心方向Ｗに風を送る遠心ファン１２と、遠心ファン１２の遠心方向Ｗの外側及び非照射側Ｂを覆う第１カバー１３と、遠心ファン１２の照射側Ａを覆う第２カバー１４と、第２カバー１４の照射側Ａに設けられているメインハウジング２０とを内部に備えており、メインハウジング２０にプラズマを発生するように構成されているプラズマ発生層３０が収容されており、負電極２５は、パンチングメタルによって構成されており、外側貫通孔１４Ｂのそれぞれは、貫通孔２０Ａのそれぞれに対して垂直方向Ｈにおいて対向しない。
【選択図】図２【図１】
0006971366.tif 000002
【図２】
0006971366.tif 000003
【図３】
0006971366.tif 000004
【図４】
0006971366.tif 000005
【図５】
0006971366.tif 000006